(57)【特許請求の範囲】
【請求項１】
３倍以上６倍以下の倍率を提供するルーペ（１）と、
少なくとも１つの眼鏡レンズ（２８）と、
を備えた眼鏡（２６）であって、
前記ルーペ（１）は、
第１の開口（３）及び第２の開口（４）を有するハウジング（２）と、
前記第１の開口（３）に隣接して前記ハウジング内に配置される対物レンズ装置（８）と、
前記第２の開口（４）に隣接して前記ハウジング内に配置される接眼レンズ装置（９）と、
前記ハウジング（２）内に配置されて前記対物レンズ装置（８）と前記接眼レンズ装置（９）との間に位置する光学装置と、
を備え、
光中心軸（２３）が前記対物レンズ装置（８）から前記光学装置を介して前記接眼レンズ装置（９）へ延び、
前記光中心軸（２３）が、対物レンズ軸（２４）及び接眼レンズ軸（２５）を含み、前記対物レンズ軸（２４）が、１０°以上２０°以下である鋭角αで前記接眼レンズ軸（２５）と交わり、前記光学装置がミラー（１０）とプリズム（１１）とを備え、
前記ルーペ（１）が前記眼鏡レンズ（２８）に取り付けられており、
前記接眼レンズ軸（２５）は前記眼鏡（２６）の仮想水平面（３０）に対して鉛直下方に傾斜し、前記対物レンズ軸（２４）は前記接眼レンズ軸（２５）に対して鉛直下方に傾斜する、
ことを特徴とする、眼鏡。
【請求項２】
前記対物レンズ軸（２４）は、１２°以上である鋭角αで前記接眼レンズ軸（２５）と交わる、請求項１に記載の眼鏡。
【請求項３】
前記対物レンズ軸（２４）は、１８°以下である鋭角αで前記接眼レンズ軸（２５）と交わる、請求項１または２に記載の眼鏡。
【請求項４】
前記光学装置の前記ミラー（１０）は、前記対物レンズ装置（８）と前記光学装置の前記プリズム（１１）との間に位置する、請求項１から３の何れか１項に記載の眼鏡。
【請求項５】
前記接眼レンズ装置（９）は、少なくとも１つの調整レンズ２２を備えている、請求項１から４の何れか１項に記載の眼鏡。
【請求項６】
前記光学装置の前記プリズム（１１）は、ルーフペンタプリズムによって構成される、請求項１から５の何れか１項に記載の眼鏡。
【請求項７】
前記対物レンズ装置（８）は、前記ハウジング（２）の前記第１の開口（３）に対して前記対物レンズ軸（２４）に沿って前後に変位可能である対物レンズ（１５）を備えている、請求項１から６の何れか１項に記載の眼鏡。
【請求項８】
前記ルーペ（１）が、前記眼鏡レンズ（２８）の貫通孔（２９）内に配置されている、請求項１から７の何れか１項に記載の眼鏡。
【請求項９】
前記眼鏡（２６）は、右側と左側とに眼鏡（２６）を分割すると共に仮想水平面３０と垂直に交わる仮想鉛直面（３１）を有し、前記仮想水平面（３０）に対して垂直に見て、前記ルーペ（１）の前記光中心軸（２３）が、２°以上７°以下である鋭角βで前記仮想鉛直面（３１）と交わる、請求項１から８の何れか１項に記載の眼鏡。
【請求項１０】
前記眼鏡（２６）は、右側と左側とに眼鏡（２６）を分割すると共に仮想水平面３０と垂直に交わる仮想鉛直面（３１）を有し、前記仮想鉛直面（３１）に対して垂直に見て、前記対物レンズ軸（２４）が、２０°以上５０°以下である角度γで前記仮想水平面（３０）と交わる、請求項１から９の何れか１項に記載の眼鏡。
【発明の詳細な説明】
【技術分野】
【０００１】
本発明は、概して、使用者／着用者の手によって取り扱われ、使用者の通常の視野下に置かれた対象物を拡大するように構成されたルーペ又は双眼鏡に関する。ルーペは、特に、高い精度を要求する作業を対象物に行う歯科医、外科医などによって使用されることを意図している。
【０００２】
第１の観点によれば、本発明は特に、３倍以上６倍以下の倍率を提供するルーペに関する。かかるルーペは、第１の開口及び第２の開口を有するハウジングと、第１の開口に隣接してハウジング内に配置される対物レンズ装置と、第２の開口に隣接してハウジング内に配置される接眼レンズ装置と、ハウジング内に配置されて対物レンズ装置と接眼レンズ装置との間に位置する光学装置と、を備え、光中心軸が、対物レンズ装置から光学装置を介して接眼レンズ装置へ延びる。第２の観点によれば、本発明は、少なくとも１つの眼鏡レンズと、こうしたルーペとを備える、一対の眼鏡に関する。
【背景技術】
【０００３】
歯科医または外科医の患者は多くの場合仰向けになっており、意図した手術を行うことができるように、つまり、非人間工学的な位置に置かれた腕で作業しなければならないようなことがないように、歯科医／外科医は患者の近くに立っているか又は近くに座っている。しかしながら、これは、患者／対象物が観察者の通常の視野下に置かれ、概して小さい対象物が、意図された精度を得るには離れすぎた距離に置かれることになり、観察者は、対象物を見ることができるように頭部を有害な角度で前方に傾けることを余儀なくされる。
【０００４】
取り扱われる対象物を拡大するルーペ、並びに、プリズムまたはミラーによって光中心軸を変えるルーペが知られている。これらのルーペによって、適切な倍率が得られると同時に、使用者は、有害な角度で頭を前方に向けなくて済む。
【０００５】
このようなルーペの例は、米国特許第５，９２３，４６７号（Pericic）に開示されており、方向変換角度は３０−６０度であり、好ましくは４５度である。ルーペは、観察者／使用者が部屋の水平面と平行に真っ直ぐ前を向くように配置される。つまり、使用者の目は傾いていない位置にあり、使用者の頭は前方に傾かず、完全にまっすぐ上に位置する。しかしながら、このルーペは重く、且つ重心が前方遠くに位置しているため、使用者の首、耳、及び鼻に大きな局所的ストレス／不快感を生じさせる。大きな方向転換と、使用者が前方をまっすぐに見るという事実とによって、脳にとって不自然な方法で対象物に対して正確に手を動かすことになり、使用者は、学習に大きな問題をかかえ、習得するために絶えず奮闘しなければならなくなる。使用者の脳は、腕／手が体の近くで作業することと、使用者の頭が直立姿勢にあって目がまっすぐに見えていることとの合致に大きな問題をかかえる。ルーペが視界を遮る結果として、使用者は、ルーペなしで周囲／仲間を見ることと、ルーペを使用して対象物を見ることとを、容易に切り替えることができない。
【０００６】
米国特許第６，１２０，１４５号（Lyst）は、方向変換のないルーペと、ルーペの前に配置された方向変換ユニットと、を備えるシステムを開示している。方向変換ユニットは複数の実施形態で開示され、これらの実施形態における方向変換角度は２５−６０度の範囲内にある。このシステムは、ルーペがまっすぐなルーペであり、方向変換ユニットがルーペの前に配置されているので、非常に鼻が重く、使用者の首に大きなストレス／不快感を生じさせる。
【０００７】
米国特許第４，６５２，０９４号は、着脱可能な方向変換ユニットを有するルーペシステムを開示している。ルーペは、方向変換ユニットが使用されていないときにまっすぐのルーペである。開示されたルーペシステムは、方向変換ユニットが使用されるときに３０−９０度の範囲で方向変換する。このルーペシステムは、眼鏡に取り付けられるように構成され、着脱可能な方向変換ユニットのために長くて重く、使用者の首、耳、及び鼻に大きく局所的なストレス／不快感をもたらす。
【発明の概要】
【発明が解決しようとする課題】
【０００８】
本発明は、従来知られていたルーペの前述の欠点および不具合を解消し、改良されたルーペを提供することを目的とする。本発明の第１の目的は、コンパクト且つ軽量であり、それにより、ルーペが一対の眼鏡に取り付けられたときに使用者の首、耳、及び鼻における局所的なストレス／不快感を減少させる、先に定義されたタイプの改良されたルーペを提供することである。
【０００９】
本発明の別の目的は、使用者がまっすぐ前方を見ているときにルーペが使用者の視野を邪魔しないルーペ、及び眼鏡を提供することである。
【００１０】
本発明の別の目的は、使用者が目を基本位置から下方に回転させたときに、使用者の眼が自動的に内側に回転する（収束する）と共に、実際の対象物とその対象物の知覚された画像との間の高さ方向の距離が減少するルーペを提供することであり、それにより、使用者の身体／胴体の近くに位置する物体を扱うように手を制御するために、使用者の脳が自動的に準備することを簡単化できる。
【課題を解決するための手段】
【００１１】
本発明によれば、独立請求項に定義された特徴を有すると共に先に定義されたルーペ及び眼鏡によって、少なくとも第１の目的が達成される。本発明の好ましい実施形態は、従属請求項においてさらに定義されている。
【００１２】
本発明の第１の観点によれば、先に定義されたタイプのルーペであって、光中心軸が、対物レンズ軸および接眼レンズ軸を含み、対物レンズ軸が、１０°以上２０°以下である鋭角αで接眼レンズ軸と交わり、光学装置がミラーとプリズムとを備えることを特徴とするルーペが提供される。本発明の第２の観点によれば、少なくとも１つのこうしたルーペを備える一対の眼鏡が提供される。
【００１３】
本発明は、以下のことの理解に基づく。つまり、使用者が目を下方に回転させると目が自動的に内側に回転するようにルーペが構成され、このことと、１０度から２０度の範囲の方向変換との組み合わせにより、有害な程度までではなく使用者が頭を前方に傾けるようになるということの理解に基づく。軽くてコンパクトな設計によって、使用者がルーペを使用している間に不快さを感じない。これらによって、使用者の脳が視覚的な所感に対して容易に取り組むことができ、使用者は、神経活動を容易に制御して、高い精度を必要とする意図した作業を実行することができる。ルーペの２０°より大きい方向変換は、使用者がルーペを使用することの学習において大きな問題を生じさせ、ルーペを使用する場合と使用しない場合とで、使用者がそれぞれを切り替えることも困難になる。
【００１４】
光学装置にプリズムを使用することによって、例えばルーペをよりコンパクトにすることができ、光学装置にミラーを使用することによって、例えばルーペのカラーオフセット誤差を補う必要性を最小限に抑えることができる。
【００１５】
本発明の好ましい形態によれば、光学装置のミラーが、対物レンズ装置と光学装置のプリズムとの間に位置する。この設計によって、使用者は、ルーペの上方を容易に見ることができる。
【００１６】
本発明の好ましい形態によれば、光学装置のミラーがルーフペンタプリズムによって構成される。これにより、実際のルーフペンタプリズムにおける長いビーム経路のおかげで、ルーペを非常にコンパクトに作ることができる。
【００１７】
ルーペは、眼鏡の貫通孔内に配置されることが好ましい。これにより、ルーペの重心を可能な限り使用者の目の近くに移動させることができる。
【００１８】
本発明のさらなる利点および特徴は、他の従属請求項ならびに以下の好ましい実施形態の詳細な説明から明らかになるであろう。
【図面の簡単な説明】
【００１９】
【図１】図１は、実施形態のルーペを下方から見た概略斜視図である。
【図２】図２は、図１による実施形態のルーペを上方／後方から見た概略斜視図である。
【図３】図３は、図１および図２に示すルーペの概略断面側面図である。
【図４】図４は、図１および図２に示すルーペの概略断面分解図である。
【図５】図５は、少なくとも１つのルーペを備える実施形態の一対の眼鏡の概略側面図である。
【図６】図６は、図５による眼鏡の上方からの概略図である。
【発明を実施するための形態】
【００２０】
本発明の上記およびその他の特徴および利点のより完全な理解は、添付の図面と併せて以下の好ましい実施形態の詳細な説明から明らかになるであろう。
【００２１】
まず、図１及び図２を参照する。本発明は、概して双眼鏡、顕微鏡などとしても知られている、概して１が付されている、ルーペに関する。ルーペ１は、使用者によって使用されるように構成され、使用者が拡大画像を取得しようとする対象物の拡大を提供するために、使用者の頭部の動きに追従するように構成される。実施形態にかかるルーペ１は、３倍以上６倍以下の倍率を提供し、好ましくは、ルーペ１は約４倍の倍率を提供する。ルーペ１はケプラー（Kepler）タイプのものであり、できるだけコンパクトなルーペを得るために、対物レンズおよび接眼レンズにおいて正レンズシステムを備える。
【００２２】
ルーペ１は、第１の開口３および第２の開口４を有するハウジング２を備えている。第１の開口３と第２の開口４とは、ハウジングの内部空間を介して連通している。第２の開口４（ルーペ１の近位側の開口）は、使用者の目に隣接して配置され、第１の開口３（ルーペ１の遠位側の開口）は、観察される対象物に対して最も近くに配置される。第２の開口４に関係して、ハウジング２は、好ましくは筒状のパイプ５を備え、第１の開口３に関係して、ハウジング２は、第１の開口３において最大の外径を有する漏斗状のパイプ６を備える。漏斗状のパイプ６は、好ましくは円筒形の内面を呈し、別の実施形態では、漏斗状のパイプ６は、円筒形のパイプによって構成されてもよい（交換されてもよい）ことを指摘しておく。ここで、ハウジング２は、筒状のパイプ５と漏斗状のパイプ６とを接続する中間ハウジング本体７を備えている。
【００２３】
ここで主として、本発明のルーペ１の好ましい実施形態の概略側面断面図および概略分解断面図を示す図３および図４を参照する。
【００２４】
ルーペ１は、ハウジング２の第１の開口３に隣接してハウジング２内に配置された、概して８が付されている対物レンズ装置を備えており、より正確には対物レンズ装置８がハウジング２の漏斗状のパイプ６内に配置され、漏斗状パイプもまた対物レンズとして識別される。ルーペ１は、ハウジング２の第２の開口４に隣接してハウジング２内に配置された、概して９が付されている接眼レンズ装置を備えており、より正確には接眼レンズ装置９がハウジング２の筒状のパイプ５内に配置されている。ルーペ１は、ハウジング内に配置されて対物レンズ装置８と接眼レンズ装置９との間に配置された光学装置を備えており、より正確には光学装置がハウジング２の中間ハウジング本体７内に配置されている。実施形態では、光学系がミラー１０及びプリズム１１を備えることが必須である。ミラーは、平面／平坦なミラーである。ミラー１０は、少なくとも、軽量で、小型で、そして、反射におけるカラーオフセット誤差がないという利点を有する。ミラー１０は、画像を上下方向に回転させる一回の反射をもたらす。プリズム１１は、ルーフペンタプリズムで構成されていることが好ましい。ルーフペンタプリズムは、小さな領域で比較的長いビーム経路を提供するという利点を少なくとも有し、これにより、ルーペ１が小さくコンパクトな寸法を維持して大きな倍率を有することが可能になる。ルーフペンタプリズム１１は、左右方向における一度の画像シフトと、画像を上下方向に回転させる二度の反射と、をもたらし、これらと、ミラー１０による上下方向の反射とは、使用者にとって正しい画像をもたらす。
【００２５】
平面なミラー１０は、ハウジング２の中間ハウジング本体７に配置された座部１２と、ハウジング２の一部を形成して座部１２内の場所にミラー１０を保持する蓋１３との内部に配置される。蓋１３は、損傷を受けた場合にミラー１０の交換を可能にするために取り外し可能であってもよい。ミラー１０は、好ましくは、光学装置のプリズム１１と対物レンズ装置８との間に配置される。プリズム１１は、ハウジング２の一部であるホルダ１４内に配置されており、ホルダ１４は、ハウジング２の中間ハウジング本体７の残りの部分に適切な方法で固定的に又は着脱自在に取り付けられる。ルーペ１が組み立てられた状態にあるとき、ミラー１０及びプリズム１１がそれらの相対的な位置を変更できてはならないことが非常に重要であると理解されたい。
【００２６】
対物レンズ装置８は、好ましくは両凸型の少なくとも１つの対物レンズ１５を備え、この対物レンズ１５は、本実施形態ではランナー１６に接続されている。異なる色補正の度合い、及び異なる倍率を得るために、対物レンズ装置８は複数の対物レンズを備えていてもよいことを理解されたい。ランナー１６は、ハウジング２の第１の開口３に対して前後に変位可能であり、より正確には、ランナー１６は、ハウジング２の漏斗状のパイプ６内を前後に変位可能である。ランナー１６の外面には、ハウジング２の漏斗状のパイプ６の内面に設けられた雌ねじと係合する雄ねじが設けられることが好ましい。これにより、対物レンズ１５及びランナー１６の第１の開口３に対する位置、結果として対物レンズ１５及びランナー１６の接眼レンズ装置９に対する位置が、使用者の眼と対象物との間の距離、及び使用者の視力に基づいて調整される。対象物と対物レンズ１５との間の距離は、好ましくは３５０−６００ミリメートルの範囲内、最も好ましくは約４５０ミリメートルであるが、個々の使用者の物理的条件および要望から決定される。使用者が人間工学的な位置をとるためには、使用者の上腕を鉛直に向け、肘を胴体に隣接させて配置することが好ましい。さらに、高さ方向において使用者の手が胸と臍の間に位置することが好ましい。
【００２７】
ここで、対物レンズ装置８は、ハウジング２の第１の開口３内に配置される保護レンズホルダ１８に取り付けられた保護レンズ１７を備えることが好ましい。保護レンズ１７は、屈折がなくレンズ全体にわたって均一な厚さを示すことが好ましく、メニスカスタイプであることが好ましい。保護レンズ１７は、対物レンズ１５を、例えば、対象物からの液体の飛散および洗浄時のひっかきのような機械的なストレス、並びに、対物レンズ１５のＡＲコーティングの劣化のような科学的なストレスから保護する。保護レンズ１７がルーペ１に取り付けられた後は、ランナー１６にアクセスできないことが好ましい。保護レンズホルダ１８は、本発明の実施形態では、ハウジング２の漏斗状のパイプ６と螺合している。
【００２８】
図示していないが、別の実施形態において、ランナー１６は、保護レンズ１７がルーペ１に取り付けられたときに、ハウジング２の外側から直接的または間接的に操作されるように構成されてもよい。
【００２９】
接眼レンズ装置９は、少なくとも１つの接眼レンズ１９を備える。接眼レンズ装置９は、ケプラー（Kepler）、プルッセル（Plossl）、ケーニヒ（Konig）、ケルナー（Kellner）等、又はそれらの変形物、又は個人的に組み合わせた接眼レンズのような、異なる所定の接眼レンズタイプを備えていてもよい。本実施形態では、接眼レンズ装置９は、複数の接眼レンズを有する逆ケルナーの接眼レンズ２０と、距離リング２１とを備えている。異なるタイプの接眼レンズ装置、及び接眼レンズ装置における異なる数のレンズによって、異なる色補正の度合い、及び異なる倍率が提供される。ここで、接眼レンズ装置９は、好ましくは、使用者の潜在的な非点収差の視覚欠損を補正し、ハウジング２の第１の開口３に対する対物レンズ１５の位置の設定／調整を補うように構成された調整レンズ２２を備えることが好ましい。
【００３０】
本発明の実施形態では、概して２３が付されている光中心軸が、対物レンズ装置８から光学装置を介して接眼レンズ装置９へ延びていることが必須である。この光中心軸２３は、対物レンズ軸２４と接眼レンズ軸２５とを含み、対物レンズ軸２４は、１０°以上２０°以下である鋭角の角度αで接眼レンズ軸２５と交わる。光学装置のミラー１０と光学装置のプリズム１１との互いの傾き／配向は、角度αの大きさを決定する。光中心軸２３は、対象物から使用者の目までのすべての経路にわたって延びることが理解されよう。
【００３１】
対物レンズ軸２４と接眼レンズ軸２５との間の角度αは、１２°以上であることが好ましく、１４°以上であることが更に好ましい。対物レンズ軸２４と接眼レンズ軸２５との間の角度αは、１８°以下であることが好ましく、１６°以下であることが更に好ましい。最も好ましくは、角度αは１５°である。これについては後で更に説明する。
【００３２】
ここで主として、少なくとも１つの本実施形態のルーペ１を含む本実施形態の一対の眼鏡２６の概略側面図を開示する図５を参照する。もっとも、眼鏡２６は、通常、使用者のそれぞれの目に対して１つが対応する、２つのルーペ１を備えることを指摘しておく。
【００３３】
本実施形態による眼鏡２６は、従来の眼鏡フレーム２７、及び少なくとも１つの眼鏡レンズ２８を備える。ルーペ１は、キャリアレンズとも言える眼鏡レンズ２８に取り付けられ、ＵＶ硬化接着剤のような適切な接着の手法によって眼鏡レンズ２８に取り付けられる。ルーペ１は、眼鏡レンズ２８の貫通孔２９内に配置され、使用者の眼の瞳孔および／または網膜と接眼レンズ装置９との間の距離が最小にされることが好ましい。これにより、ルーペ１をよりコンパクトにすることができる。眼鏡レンズ２８は、使用者の一般的な視覚状態に応じて、光パワー／屈折の程度／研削を伴って、又は伴わずに作成できることを指摘しておく。ルーペ１が眼鏡レンズ２８に接続されていることの利点は、ルーペ１と使用者の眼の瞳孔および／または網膜との間の距離を、明確に画定できると共に使用者に適合／個別化させられることである。同時に、使用者は、ルーペ１と目との協調作業なしに、簡単に眼鏡２６を外して繰り返し着用することができる。図示していないが、別の実施形態によれば、ルーペ１は、使用者によって運ばれるように構成された別のユニット、例えばヘッドバンド類又はヘルメット類のユニット、眼鏡レンズなしの眼鏡フレームなどに取り付けられてもよい。
【００３４】
使用者と対象物とは対象空間内に位置し、使用者が基準位置に位置するとき、つまり頭を傾けずにまっすぐ前を見るとき、使用者の両目は、対象空間における水平基準面に沿って見ることになる。眼鏡２６は、眼鏡２６を着けている使用者が上記の基準位置に位置するとき、対象空間における水平基準面と平行な仮想水平面３０を有する。使用者が頭を前方に、例えば１０度または１５度傾けると、仮想水平面が、対象空間における水平基準面に対してそれぞれ１０度または１５度傾くことをもたらす。使用者が長時間にわたって頭を前方に２５度を超えて傾けると、いわゆる筋骨格障害が生じるリスクがかなり高くなる。１０−１５度の範囲で頭を傾けることは使用者にとって好ましいものであり、使用者は頭を同じ角度／位置で長い時間にわたって作業することができる。ルーペ１は、眼鏡２６を着けている使用者が基準位置に位置するときに、対象空間における上記した水平基準面の完全に下方に位置することが好ましい。
【００３５】
ここで、２つのルーペ１を備える実施形態の一対の眼鏡２６の上方からの概略図を開示する図６も参照する。
【００３６】
眼鏡２６は、使用者の視線方向に見て右側と左側とに眼鏡２６を分割すると共に仮想水平面３０と垂直に交わる仮想鉛直面３１を有する。２つのルーペ１のそれぞれの第２の開口４の間の相互の距離は、使用者に適合され、好ましくは５０−７５ミリメートルの範囲内である。このことと、対象物とルーペ１との間の距離とによって、仮想水平面３０に対して垂直に見たときに、個々のルーペ１の光中心軸２３が、２°以上で７°以下である鋭角な角度βで仮想鉛直面３１と交わる。図６では、角度２βが示されており、４°−１４°の範囲にあることを指摘しておく。
【００３７】
ここで、各ルーペ１は、仮想鉛直面３１に対して垂直に見てルーペ１の対物レンズ軸２４が仮想水平面３０に対して２０°以上５０°以下である角度γで交わるように、眼鏡２６の仮想水平面３０に対して傾斜している。ここで、角度γは角度αよりも厳密に大きくなければならない。これにより、ルーペ１の第２の開口４に向かってまっすぐ見るために、使用者は目をγ−αに等しい回転角度で下方に回転させることになる。不慣れな使用者は、目を３０度まで下方に向けた状態で労力なく作業をすることができ、熟練した使用者は、目を４０度まで下方に向けた状態で大きな労力なく作業をすることができる。使用者の目を下方に回転させることの大きな利点は、目が自動的に内側に回転し、それによって、仮想鉛直面３１に対して傾斜しているルーペ１をまっすぐ見ることである。
【００３８】
対物レンズ軸２４と接眼レンズ軸２５との間の角度αが１０°未満であると、使用者は頭を大きく前方に傾けなければならないか、又は、目を不自然な又は痛める角度で下方に回転させなければならない。対物レンズ軸２４と接眼レンズ軸２５との間の角度αが２０°より大きいと、慣れることが非常に困難になり、使用者は視覚的な所感と手の動きとを調整するために脳に多くの練習を必要とする。また、ルーペを使用する場合と使用しない場合とで、使用者がそれぞれ切り替えることもより困難になる。
【００３９】
発明の実行可能な変形例
本発明は、上記で説明され図示された実施形態のみに限定されるものではなく、実施形態は主に説明目的および例示目的を有するである。本願は、本明細書に記載の好ましい実施形態のすべての適応および変形を含むことを意図している。本発明は、添付の特許請求の範囲によって定義されるものであり、添付の特許請求の範囲において、あらゆる種類の方法で構成を変形することができる。
【００４０】
上方、下方、上、下等のような用語に関するすべての情報は、図面による装置の方位を示すものであり、参照を正しく理解できるように図面に方向付けられているものであると解釈／読取りされたい。したがって、こうした用語は、図示された実施形態における相互関係を示すに過ぎず、本発明の装置に別の構造／設計が用いられる場合、その関係は変更され得る。
【００４１】
また、特定の実施形態の特徴を別の実施形態の特徴と組み合わせることができると明示的に述べられていないとしても、組み合わせが可能である場合、その組み合わせは明白なものであることを指摘しておく。
【図１】
0006706317.tif 000002
【図２】
0006706317.tif 000003
【図３】
0006706317.tif 000004
【図４】
0006706317.tif 000005
【図５】
0006706317.tif 000006
【図６】
0006706317.tif 000007